(57)【要約】【課題】誤操作の発生を確実に防止できるように、スイッチと雌型コネクタを配置した電子機器を得る。【解決手段】対をなす雄型コネクタ部材が挿入される雌型コネクタ部材と、前記雄型コネクタ部材の挿入方向の奥部であって、前記雄型コネクタ部材を挿入した際に該雄型コネクタ部材の挿入先端部と接触しない位置に配されたスイッチと、を備える。これにより、スイッチは、雄型コネクタ部材が雌型コネクタ部材に挿入されているときには決して押されることが無い。したがって、雄型コネクタ部材が雌型コネクタ部材に挿入されている間はこのスイッチの誤操作を確実に防止することができる。【選択図】        図１
2005268123.tif 000002
【特許請求の範囲】
【請求項１】
対をなす雄型コネクタ部材が挿入される雌型コネクタ部材と、
前記雄型コネクタ部材の挿入方向の奥部であって、前記雄型コネクタ部材を挿入した際に該雄型コネクタ部材の挿入先端部と接触しない位置に配されたスイッチと、
を備えることを特徴とする電子機器。
【請求項２】
前記雄型コネクタ部材がプラグ部材であり、前記雌型コネクタ部材がジャック部材であることを特徴とする請求項１に記載の電子機器。
【請求項３】
前記雌型コネクタ部材の挿入口の中心軸と前記スイッチの押圧方向の中心軸とが略同軸であることを特徴とする請求項１または請求項２に記載の電子機器。
【発明の詳細な説明】
【技術分野】
【０００１】
本発明は、スイッチおよび雌型コネクタの配置に関するものであり、特にリセットスイッチや、使用頻度の低いプログラムの呼び出しスイッチなど通常の操作においての誤操作の防止が要求されるスイッチを用いた電子機器に関する。
【背景技術】
【０００２】
現在、多くのポータブル電子機器が製造され、広くユーザに用いられている。最近のポータブル電子機器は、小型化を実現するために操作キーが少ない構成とする、電池を内蔵する構成とするなどの工夫が施され、機器全体をマイコンにより制御している。このため、再生などの操作に直接関係する操作キーの他に、マイコンが誤動作した場合に電子機器内の設定を初期化するためのリセットスイッチが必要となる。
【０００３】
このようなリセットスイッチの配置構成としては、ユーザの通常の操作で間違って押されないような構成が必要とされ、たとえばリセットスイッチを本体裏側に配置した構成、リセットスイッチを極力小型化した構成、凹みの先端に小さなリセットスイッチを配置して該リセットスイッチを細い棒で押す構成、誤操作防止蓋の内部にリセットスイッチを配置した構成、隠しパネルの内部にリセットスイッチを配置した構成、などの容易に押せない構成などが用いられている（例えば、特許文献１、特許文献２、特許文献３参照）。また、使用頻度の低いプログラムの呼び出しスイッチや初期設定メニューの呼び出しスイッチ、故障時の自己診断プログラムの起動スイッチ、あるいは修理時にサービスマンが使用するサービスプログラムの起動スイッチなども、上記のリセットスイッチと同様にユーザの通常の操作で間違って押されないような構成が必要とされる。
【０００４】
【特許文献１】実開平６−３８１３２号公報
【特許文献２】実開平７−４３３号公報
【特許文献３】特開２００２−２４４８７８号公報
【発明の開示】
【発明が解決しようとする課題】
【０００５】
ところで、リセットスイッチはポータブル電子機器の動作中には動作してはいけないものである。しかしながら、上述した従来の技術においては、ポータブル電子機器の動作中、たとえばポータブルオーディオ再生機などにおいても、音楽の再生中にリセットスイッチが押されてしまう可能性も十分考えられる。
【０００６】
そして、近年のポータブル電子機器は、データの記憶媒体としてハードディスクや半導体メモリを用いているものがある。たとえば、複数の音楽情報を記録したいわゆるハードディスク（磁気ディスク）記憶装置を備えるポータブル音楽再生装置などがある。これらのポータブル電子機器においては、該ポータブル電子機器の動作中に不用意にリセットスイッチが押されると、本体故障やデータ損失が発生するという問題がある。したがって、このようなポータブル電子機器においては、リセットスイッチの誤操作をより確実に防止する機構が必要とされる。しかし、従来の技術ではポータブル電子機器の動作中に不用意にリセットスイッチが押されることを確実に防止するスイッチは実現されていないのが現状である。
【０００７】
本発明は、上記に鑑みてなされたものであって、誤操作の発生を確実に防止できるように、スイッチと雌型コネクタを配置した電子機器を得ることを目的とする。
【課題を解決するための手段】
【０００８】
請求項１に記載の発明は、対をなす雄型コネクタ部材が挿入される雌型コネクタ部材と、雄型コネクタ部材の挿入方向の奥部であって、雄型コネクタ部材を挿入した際に該雄型コネクタ部材の挿入先端部と接触しない位置に配されたスイッチと、を備えることを特徴とする。
【発明を実施するための最良の形態】
【０００９】
以下に、本発明にかかる電子機器の実施の形態を図面に基づいて詳細に説明する。なお、本発明は下記の記述に限定されるものではなく、本発明の要旨を逸脱しない範囲において適宜変更可能である。
【００１０】
[実施の形態]
図１は、本発明にかかる電子機器の有する特徴的な構成である、スイッチと雌型コネクタ部材との配置を概略的に説明する模式図である。本発明にかかる電子機器においてはスイッチ１は、図１に示すように、電子機器の本体外面１０に埋設された雌型コネクタ部材１２の挿入孔１４の最奥部の端面１２ａからさらに軸方向に離間した位置に配置されている。すなわちスイッチ１は雌型コネクタ部材１２の挿入孔１４の外部であってさらに奥部に配置されている。また、雌型コネクタ部材１２の挿入孔１４の中心軸とスイッチ１の押圧方向の中心軸とは略同軸とされている。なお、雌型コネクタ部材１２の挿入孔１４は閉じてはおらず、スイッチ１側に貫通した構成とされている。そして、図１では雌型コネクタ部材１２およびスイッチ１を、雌型コネクタ部材１２の軸方向と垂直な方向から見た場合をイメージしている。
【００１１】
この雌型コネクタ部材１２には、図２に示すように該雌型コネクタ部材１２に嵌合する雄型コネクタ部材２０が挿入されて使用される。たとえば雌型コネクタ部材１２の挿入孔１４の内周面および雄型コネクタ部材２０の外周面には、それぞれ複数の端子が設けられ、雄型コネクタ部材２０を雌型コネクタ部材１２に挿入、嵌合した際にそれぞれの端子が接触して電気的に接続する構成とされている。一例としては、雌型コネクタ部材１２の挿入孔１４の内周面には図１に示すように端子Ｌ１２、端子Ｒ１２、グランド端子ＧＮＤ１２などが設けられる。一方、雄型コネクタ部材２０には、図２に示すように端子Ｌ１２、端子Ｒ１２、グランド端子ＧＮＤ１２とそれぞれ対応する位置に端子Ｌ２０、端子Ｒ２０、端子ＧＮＤ２０などが設けられ、嵌合した際にそれぞれの端子が接触して電気的に接続する構成とされる。なお、図２においては、雌型コネクタ部材１２側の端子Ｌ１２、端子Ｒ１２、端子ＧＮＤ１２は記載を省略している。
【００１２】
ここで、スイッチ１は、雌型コネクタ部材１２の挿入孔１４の軸方向における奥部方向に押圧可能な押圧部２を備えている。この押圧部２が押圧されることにより、この電子機器では所定の動作が行われる。しかしながら、本発明においては、このスイッチ１は雌型コネクタ部材１２の挿入孔１４に雄型コネクタ部材２０を挿入、嵌合させた際に、該雄型コネクタ部材２０の先端部２０ａがスイッチ１の押圧部２に接触しない位置に配置されている。すなわち、雌型コネクタ部材１２の挿入孔１４の外部側の端面からスイッチ１の押圧部２の表面までの距離、すなわち電子機器の本体外面１０からスイッチの押圧部２の表面までの距離は、雄型コネクタ部材２０が挿入された場合に該雄型コネクタ部材２０の先端部２０ａがスイッチ１の押圧部２を押すことができない距離とされている。
【００１３】
したがって、ユーザが通常の操作のために雄型コネクタ部材２０を雌型コネクタ部材１２に挿入しても、雄型コネクタ部材２０の先端部２０ａはスイッチ１の押圧部２に届かないため、該スイッチ１が雄型コネクタ部材２０の挿入により押されることがない。そして、このスイッチを押すためには、図３に示すように雄型コネクタ部材２０の長さ以上の長さを有し、雌型コネクタ部材１２の挿入孔１４の端面、すなわち電子機器の本体外面１０からスイッチ１の押圧部２の表面まで届くだけの長さを有するスイッチ押圧部材２４などを雌型コネクタ部材１２の挿入孔１４に挿入することが必要である。ここで、上述したように雌型コネクタ部材１２の挿入孔１４の中心軸とスイッチ１の押圧方向の中心軸とは略同軸となっているため、電子機器の本体外面１０からスイッチ１の押圧部２の表面まで届くだけの長さを有するスイッチ押圧部材２４などを挿入した場合に、確実にスイッチ１を押すことが可能である。なお、このスイッチ押圧部材２４は必要な長さがあり、且つ、雌型コネクタ部材１２の挿入孔１４を通り抜けることが可能であれば、その材料や形状は何でも良く、たとえば爪楊枝等でも構わない。
【００１４】
これにより、このスイッチ１は、雄型コネクタ部材２０が雌型コネクタ部材１２に挿入されているときには決して押されることが無い。したがって、雄型コネクタ部材２０が雌型コネクタ部材１２に挿入されている間はこのスイッチ１の誤操作を確実に防止することができる。
【００１５】
このようなスイッチ１は、たとえば電子機器全体を制御するマイコンが誤動作した場合にマイコンの設定を初期化するためのリセットスイッチとして用いて好適である。リセットスイッチは電子機器の動作中には動作してはいけないものである。しかしながら、従来のようにリセットスイッチを本体裏側に配置した構成、リセットスイッチを極力小型化した構成、凹みの先端に小さなリセットスイッチを配置して該リセットスイッチを細い棒で押す構成、誤操作防止蓋の内部にリセットスイッチを配置した構成、隠しパネルの内部にリセットスイッチを配置した構成、などでは間違ってリセットスイッチが押される虞がある。
【００１６】
しかしながら、このスイッチ１をリセットスイッチとして用いた場合には、雄型コネクタ部材２０が雌型コネクタ部材１２に挿入されているときにはリセットスイッチ（スイッチ１）は決して押すことができない。そして、リセットスイッチ（スイッチ１）を押すためには、雄型コネクタ部材２０を雌型コネクタ部材１２から抜いた後に、上述したような必要な長さを有するスイッチ押圧部材２４などを雌型コネクタ部材１２の挿入孔１４に挿入しなくてはならない。したがって、雄型コネクタ部材２０を雌型コネクタ部材１２に挿入して電子機器を動作させている間はリセットスイッチは決して動作することが無く、マイコンの設定が初期化されることはない。すなわち、スイッチ１をリセットスイッチとして用いた場合には、電子機器の動作中におけるリセットスイッチの誤操作が確実に防止される。さらに、リセットスイッチを電子機器内に設けられるため、電子機器の外部にリセットスイッチ押圧用ボタンを設ける必要が無くなり、電子機器の小型化を図ることも可能である。
【００１７】
たとえば、ヘッドフォンを用いて音楽を聴くステレオ再生機などのリセットスイッチにこのスイッチ１を用いた場合には、ステレオ再生機の動作中とはユーザが音楽を聴いている状態となる。そして、ステレオ再生機の動作中、すなわちユーザが音楽を聴いている状態においては、オーディオジャックにヘッドフォンのプラグが必ず挿入されている。つまり、この場合には、ステレオ再生機の動作中にリセットスイッチが押される危険性が全くなくなる。
【００１８】
また、このスイッチ１は、たとえば故障時の自己診断プログラムの起動スイッチ、あるいは修理時にサービスマンが使用するサービスプログラムの起動スイッチとして用いることもできる。この場合も、雄型コネクタ部材２０が雌型コネクタ部材１２に挿入されているときには決してサービスプログラムの起動スイッチが押せない構成とされる。そして、サービスプログラムの起動スイッチ（スイッチ１）を押すためには、上述したような必要な長さを有するスイッチ押圧部材２４などを雌型コネクタ部材１２の挿入孔１４に挿入しなくてはならない。したがって、雄型コネクタ部材２０が雌型コネクタ部材１２に挿入して電子機器を動作させている間はサービスプログラムの起動スイッチは決して押されることが無く、サービスプログラムが起動することは無い。すなわち電子機器の動作中におけるサービスプログラムの起動スイッチの誤操作が確実に防止される。
【００１９】
また、このスイッチ１は、その他にも初期設定メニューの呼び出しスイッチや使用頻度の低いプログラムの呼び出しスイッチなど、種々の機能を割り当てることができる。この場合は、スイッチ１を押せる長さの挿入部を有する雄型コネクタ部材を通常使用する雄型コネクタ部材とともにあらかじめ用意しておき、この雄型コネクタ部材を挿入することによりスイッチ１を押し、所定の動作をさせる構成とすることもできる。
【００２０】
また、スイッチ１は、図４に示すように、電子機器の本体外面１０に埋設して設けられた雌型コネクタ部材１６の挿入孔１８内の最奥部に配置された構成とすることもできる。すなわち、図１に示した構成では、スイッチ１は雌型コネクタ部材１２の挿入孔１４の外部に配置されていたが、図４に示す例は、スイッチ１は雌型コネクタ部材１６の挿入孔１８の内部に配置された構成である。
【００２１】
この雌型コネクタ部材１６は、該雌型コネクタ部材１６に嵌合する雄型コネクタ部材２６が図５に示すように挿入されて使用される。そして、この場合もユーザが通常の操作のために雄型コネクタ部材２６を雌型コネクタ部材１６に挿入しても、雄型コネクタ部材２６の先端部２６ａはスイッチ１の押圧部２に届かないため、該スイッチ１が雄型コネクタ部材２６の挿入により押されることがない。そして、このスイッチを押す場合には、図６に示すように雄型コネクタ部材２６の長さ以上の長さを有し、雌型コネクタ部材１６の挿入孔１８の端面、すなわち電子機器の本体外面１０からスイッチ１の押圧部２の表面まで届くだけの長さを有するスイッチ押圧部材３０などを雌型コネクタ部材１６の挿入孔１８に挿入する。このような構成とした場合においても上記と同様の効果を得ることができる。
【００２２】
[実施例]
つぎに、本発明を具体的な実施例に基づいてより詳細に説明する。以下では、本発明を適用したポータブル音楽再生装置を例に図面を参照しながら説明する。
【００２３】
図７は、本実施例にかかる音楽再生装置であって携帯用に小型化されたポータブル音楽再生装置１００を示す平面図である。図８は、ポータブル音楽再生装置１００の側面を示す側面図である。図９は、ポータブル音楽再生装置１００の各機能部の概略構成を示すブロック図である。このポータブル音楽再生装置１００は、図７に示すように外面に各種の情報を表示する表示部１０３や再生・停止等の機能を入力するための操作部１０２などを備える。また、このポータブル音楽再生装置１００は、図８に示すようにヘッドフォンプラグ１２０を挿入するためのオーディオジャック１１０をその側面に備える。
【００２４】
また、このポータブル音楽再生装置１００は、図９に示すように再生開始手段、読出手段及び再生手段としてのＣＰＵ１０１と、ポータブル音楽再生装置１００に実行させるべき処理の内容を入力する操作部１０２と、曲情報などの各種情報を表示する表示部１０３と、ヘッドフォンが接続されて曲の出力を行う出力部１０４と、ディスク記憶手段としてのハードディスク記憶装置１０５と、固体記憶手段としての半導体メモリ１０６と、を備えて構成されている。
【００２５】
ユーザがこのポータブル音楽再生装置１００で音楽を聴く際には、図１０に示すようにオーディオジャック１１０に、該オーディオジャック１１０に嵌合するヘッドフォンプラグ１２０が挿入して使用する。図１０は、ポータブル音楽再生装置１００内部におけるオーディオジャック１１０の周辺部を拡大して示す図である。なお、図１０ではオーディオジャック１１０の周辺部を、該オーディオジャック１１０の軸方向と垂直な方向から見た場合をイメージしている。オーディオジャック１１０の内周面およびヘッドフォンプラグ１２０の外周面には、それぞれ複数の端子（図示せず）が設けられ、ヘッドフォンプラグ１２０をオーディオジャック１１０に挿入、嵌合した際にそれぞれの端子が接触して電気的に接続する構成とされている。
【００２６】
そして、このポータブル音楽再生装置１００は、図１０に示すように該ポータブル音楽再生装置１００の側面１００ａに埋設されたオーディオジャック１１０の最奥部に、ポータブル音楽再生装置１００を制御するＣＰＵ１０１が誤動作した場合にＣＰＵ１０１の設定を初期化するためのリセットスイッチ１３０を備えている。また、オーディオジャック１１０の挿入孔の中心軸とリセットスイッチ１３０の押圧方向の中心軸とは略同軸とされている。
【００２７】
リセットスイッチ１３０は、オーディオジャック１１０の挿入孔の軸方向における奥部方向に押圧可能な押圧部１３２を備えている。この押圧部１３２が押圧されることにより、このポータブル音楽再生装置１００ではリセット動作、すなわちＣＰＵ１０１の設定の初期化が行われる。リセットスイッチ１３０は、たとえば図１１に示すようにリセットＩＣ１０７に接続しており、その先にはさらに電池１０８が接続されている。また、リセットスイッチ１３０は、ＣＰＵ１０１のリセット端子１０１ａに接続されている。このＣＰＵ１０１はたとえば３Ｖの電圧で動作している。電圧が正常である場合には、リセットＩＣ１０７からＣＰＵ１０１のリセット端子１０１ａに入力される信号はネゲート（Ｈ）であり、ＣＰＵ１０１は通常動作を行う。一方、リセットＩＣ１０７からＣＰＵ１０１のリセット端子１０１ａに入力される信号をアサート（Ｌ）に変えることによりＣＰＵ１０１をリセットすることができる。
【００２８】
たとえば電気的に異質な信号が入った場合や、電圧が３Ｖから大きく変動した場合にはＣＰＵ１０１が誤動作する虞があるので、強制的にリセットをかけてＣＰＵ１０１の設定を初期化してＣＰＵ１０１を正常に動作させることができる。リセットＩＣ１０７からＣＰＵ１０１のリセット端子１０１ａに入力される信号は通常はネゲート（Ｈ）であるが、リセットスイッチ１３０をオンすることにより信号はアサート（Ｌ）に変化する。これにより、リセットＩＣ１０７からＣＰＵ１０１のリセット端子１０１ａに入力される信号がアサート（Ｌ）に変化させてＣＰＵ１０１をリセットすることができる。
【００２９】
しかしながら、リセットスイッチ１３０はポータブル音楽再生装置１００の動作中には動作してはいけないものである。そこで、このポータブル音楽再生装置１００においては、図１０に示すようにリセットスイッチ１３０はオーディオジャック１１０にヘッドフォンプラグ１２０を挿入、嵌合させた際に、該ヘッドフォンプラグ１２０の先端部１２０ａがリセットスイッチ１３０の押圧部１３２に接触しない位置に配置されている。すなわち、オーディオジャック１１０の外部側の端面からリセットスイッチ１３０の押圧部１３２の表面までの距離、すなわちポータブル音楽再生装置の側面１００ａからリセットスイッチ１３０の押圧部１３２の表面までの距離は、ヘッドフォンプラグ１２０が挿入された場合に該ヘッドフォンプラグ１２０の先端部１２０ａがリセットスイッチ１３０の押圧部１３２を押すことができない距離とされている。
【００３０】
したがって、ユーザが通常の音楽再生操作のためにヘッドフォンプラグ１２０をオーディオジャック１１０に挿入しても、ヘッドフォンプラグ１２０の先端部１２０ａはリセットスイッチ１３０の押圧部１３２に届かないため、該リセットスイッチ１３０がヘッドフォンプラグ１２０の挿入により押されることがない。そして、このリセットスイッチ１３０を押すためには、図１２に示すようにヘッドフォンプラグ１２０の長さ以上の長さを有し、オーディオジャック１１０の外部側の端面、すなわちポータブル音楽再生装置の側面１００ａからリセットスイッチ１３０の押圧部１３２の表面まで届くだけの長さを有するスイッチ押圧部材１２２などをオーディオジャック１１０に挿入することが必要である。ここで、上述したようにオーディオジャック１１０の挿入孔の中心軸とリセットスイッチ１３０の押圧方向の中心軸とは略同軸となっているため、ポータブル音楽再生装置の側面１００ａからリセットスイッチ１３０の押圧部１３２の表面まで届くだけの長さを有するスイッチ押圧部材１２２などを挿入した場合に、確実にリセットスイッチ１３０を押すことが可能である。
【００３１】
これにより、このリセットスイッチ１３０は、ヘッドフォンプラグ１２０がオーディオジャック１１０に挿入されているときには決して押されることが無い。したがって、ヘッドフォンプラグ１２０がオーディオジャック１１０に挿入されている間、すなわちユーザが音楽再生を行っている間はリセットスイッチ１３０の誤操作が確実に防止されるという効果がある。
【００３２】
また、このポータブル音楽再生装置１００においては、リセットスイッチ１３０をオーディオジャック１１０の最奥部に配置することにより、ポータブル音楽再生装置１００の外周部にリセットスイッチ押圧用ボタンを設ける必要が無くなり、ポータブル音楽再生装置１００の小型化が図られているという効果もある。
【００３３】
次に、このポータブル音楽再生装置１００の動作について図９を参照しながら説明する。ハードディスク記憶装置１０５内には、多数の曲が相互に識別可能に記憶されている。これらハードディスク記憶装置１０５内に記憶されている曲は、ＣＰＵ１０１の制御に基づいて当該各曲を示す曲信号Ｓ105がハードディスク記憶装置１０５内から読み出されて当該ＣＰＵ１０１に出力される。
【００３４】
一方、操作部１０２において、ハードディスク記憶装置１０５内に蓄積・記憶されている多数の曲から再生されるべき曲を抽出する選択処理等、当該音楽再生装置１００に実行させるべき処理の内容が入力されると、当該入力された内容に対応する操作信号Ｓ102がＣＰＵ１０１に出力される。
【００３５】
ＣＰＵ１０１では、当該操作信号Ｓ102に含まれている内容に基づいて、曲信号Ｓ105としてハードディスク記憶装置１０５から読み出された曲を曲信号Ｓ106として半導体メモリ１０６に転送すると共に、当該転送された曲を再度曲信号Ｓ106として半導体メモリ１０６から読み出し、これを出力信号Ｓ104として出力部１０４へ出力する。
【００３６】
そして、出力部１０４は、当該出力信号Ｓ104内に含まれている曲をポータブル音楽再生装置１００のユーザに対して出力する。このときの出力の態様としては、たとえば出力部１０４にオーディオジャックを介して接続されたヘッドフォン又はイヤフォンに対して出力する。
【００３７】
また、上述した各処理を実行するに当たり、ＣＰＵ１０１は表示部１０３において表示すべき情報があるときは、当該情報を含む表示信号Ｓ103を生成して表示部１０３に出力し、当該表示部１０３は当該表示信号Ｓ103を受けて、それらの必要な情報を表示する。
【００３８】
このポータブル音楽再生装置１００では、以上のような動作を行うことによりハードディスク記憶装置１０５内に記憶された曲の再生を行い、ユーザが音楽を楽しむことができる。
【００３９】
本実施例においては、オーディオジャック１１０の最奥部に設けたスイッチにリセット機能を持たせた場合について説明したが、リセット機能の他にも、サービスプログラムの起動スイッチ、初期設定メニューの呼び出しスイッチなどの使用頻度の低いプログラムの呼び出しスイッチ等、種々の機能を割り当てることが可能である。この場合も上記と同様の効果を得ることができる。
【００４０】
また、上記においては、オーディオジャック１１０の最奥部にリセットスイッチ１３０を設けた構成、すなわちリセットスイッチ１３０がオーディオジャック１１０の内部に配置された構成について説明したが、図１及び図２に示したような、リセットスイッチ１３０が外部に配置されるような構成とすることもできる。
【００４１】
なお、上記においては、ポータブル音楽再生装置を例に本発明を説明したが、本発明の適用範囲はこれに限定されるものではなく、雌型コネクタ部材が装着され、これに対応する雄型コネクタ部材を該雌型コネクタ部材に挿入して使用する電子機器全てが対象である。このような電子機器としては、たとえば携帯電話、ＰＤＡ、デジタルカメラ、ＰＣ、ＣＤ−ＲＯＭ、ステレオコンポなどが挙げられる。
【００４２】
また、本発明における雌型コネクタ部材はヘッドフォンジャックに限定されるものではなく、ＲＣＡジャック、マイクジャックなどあらゆるジャックが対象とされ、入出力される信号はどのような信号でも構わない。そして、雌型コネクタ部材および該雌型コネクタ部材に対応する雄型コネクタ部材の大小も問わない。さらに、雌型コネクタ部材の形状は、円形、三角形、四角形、その他どのような形でも構わない。
【図面の簡単な説明】
【００４３】
【図１】本発明にかかる電子機器におけるスイッチと雌型コネクタ部材との配置を概略的に説明する模式図である。
【図２】雌型コネクタ部材に雄型コネクタ部材が挿入・嵌合された状態を示す図である。
【図３】雌型コネクタ部材にスイッチ押圧部材を挿入する状態を示す図である。
【図４】スイッチが雌型コネクタ部材の最奥部に配置された構成を示す図である。
【図５】雌型コネクタ部材に雄型コネクタ部材が挿入・嵌合された状態を示す図である。
【図６】雌型コネクタ部材にスイッチ押圧部材を挿入する状態を示す図である。
【図７】ポータブル音楽再生装置を示す平面図である。
【図８】ポータブル音楽再生装置の側面を示す側面図である。
【図９】ポータブル音楽再生装置の各機能部の概略構成を示すブロック図である。
【図１０】ポータブル音楽再生装置の内部におけるオーディオジャックの周辺部を拡大して示す図である。
【図１１】リセットスイッチの接続構成を示す図である。
【図１２】オーディオジャックにスイッチ押圧部材を挿入する状態を示す図である。
【符号の説明】
【００４４】
１  スイッチ
２  押圧部
１２  雌型コネクタ部材
１２ａ  端面
１４  挿入孔
１６  雌型コネクタ部材
２０  雄型コネクタ部材
２０ａ  雄型コネクタ部材の先端部
２４  スイッチ押圧部材
２６  雄型コネクタ部材
２６ａ  雄型コネクタ部材の先端部
３０  スイッチ押圧部材
【図１】
2005268123.tif 000003
【図２】
2005268123.tif 000004
【図３】
2005268123.tif 000005
【図４】
2005268123.tif 000006
【図５】
2005268123.tif 000007
【図６】
2005268123.tif 000008
【図７】
2005268123.tif 000009
【図８】
2005268123.tif 000010
【図９】
2005268123.tif 000011
【図１０】
2005268123.tif 000012
【図１１】
2005268123.tif 000013
【図１２】
2005268123.tif 000014